(57)【要約】【課題】  暖を採るために人が接触するところは、従来と同様十分な熱伝導があるが、その一方で消費電力量を抑え、経済性向上を図ることができる面状採暖具を提供することである。【解決手段】  面状採暖具１１は、表皮部２ｂとベースシート３からなる表生地１、裏生地９、及び表生地１と裏生地９との間に配設される発熱体１０を備えている。ベースシート３は、ポリウレタンフォームのような発泡樹脂材料から成り内部に空間が形成されている部材である。人Ｂが座った面状採暖具１１のＡ部は、厚さが薄くなっているので空気の断熱作用が小さく、発熱体１０からの伝わり易い熱で人Ｂは暖を採ることができる。人Ｂが座らないＣ部はＡ部から追いやられた空気をも含んで断熱作用が高く放熱し難くなっているので、電気消費量を抑制することができる。【選択図】      図３
2005259433.tif 000002
【特許請求の範囲】
【請求項１】
表皮部とベースシートからなる表生地、裏生地、及び前記表生地と裏生地との間に配設される発熱体を備える面状採暖具において、前記ベースシートは、内部に空間を形成した部材としたことを特徴とする面状採暖具。
【請求項２】
前記ベースシートは、軟質又は半硬質ポリウレタンフォームであることを特徴とする請求項１に記載の面状採暖具。
【発明の詳細な説明】
【技術分野】
【０００１】
この発明は、内部に発熱体を備え表皮部に載る又は座ることで暖を採ることができる絨毯、カーペット、座布団等の面状採暖具に関する。
【背景技術】
【０００２】
従来、暖房具の一種として、絨毯、カーペット、座布団等の面状採暖具が広く用いられている。面状採暖具は、通電することなどによって発熱するニクロム線等の発熱体が発生した熟を熱伝導で表生地に伝え、人がその表面に直接載る又は座ることにより、伝わった熟で暖を採る接触型の暖房器である。
【０００３】
面状採暖具の本体構造は、表生地と裏生地の間に発熱体を配置した構成を有している。本体構造の裏生地は、断熱性やクッション性（柔軟性）といった特性を備えることが必要なことから、不織布やフェルト等の繊維材又は軟質発泡樹脂を分厚く成形することによって構成されている。一方、表生地は、柔軟性と一定の強度（対摩耗性、引張強度）といった特性を備えることが必要なことから、表皮部を繊維製の不織布（ニーパンフェルト）やシート状の合成樹脂で形成して、面状採暖具の中まで水が浸透しないように配慮したもの（防水型表生地）がある。
【０００４】
表生地を防水型表生地とした面状採暖具については、表皮部をシート状の合成樹脂で形成する場合には、必要な柔軟性を得るため表生地を全体として薄く仕上げることが求められている。そうした要請に応えるため、表生地構成の基礎となるベースシートの材料として繊維性の不織布やフェルトを用い、その表面に合成樹脂材（例えば、オレフィン系樹脂、エチレン酢酸ビニル共重合体、ポリエチレンテレフタレート等）を溶融して流し、ロール状のもので引き伸ばすことによって、ベースシート上に表皮部としての合成樹脂をコートした表生地を得ている。
【０００５】
電気カーペットのような面状採暖具の製造方法の一例として、表面材（裏材）を下金型に供給固定する第一の工程と、その表面材に発泡樹脂材を塗布する第二の工程と、発泡樹脂材を塗布されたその表面材の上に更に発熱体を配設してなる表面材ユニットを載置する第三の工程と、表面材と表面材ユニットとを下金型と上金型とで封止して発泡樹脂材を発泡形成させる第四の工程とから成る方法、或いは発熱体を配設してなる表面材ユニットを下金型に載置する第一の工程と、その表面材ユニットに発泡樹脂材を塗布する第二の工程と、発泡樹脂材を塗布されたその表面材ユニットの上に更に表面材を載置する第三の工程と、表面材ユニットと表面材とを下金型と上金型とで封止して発泡樹脂材を発泡形成させる第四の工程とから成る方法等が提案されている（特許文献１）。
【特許文献１】特開平１０−３２１３５１号公報（段落［００２３］〜［００３１］、図１〜図４）
【０００６】
面状採暖具についての上記第一の製造方法においては、下金型と上金型とで封止した状態で表面材と表面材ユニットとの間で発泡樹脂材を発泡させていることにより、発泡樹脂材が気体層を十分含んだ状態として、高い断熱効率とクッション性を有する面状採暖具を得ることを図っている。また、第一の製造方法においては、表面材ユニットを下金型に載置することで、表面材ユニットが発熱体の自重で発泡樹脂材に沈み込むことを防いで、封止時間の変動によるたるみの発生と、表面材表面における線状のしわの発生と回避することを図っている。
【０００７】
面状採暖具は、上記したように発熱体によって発生されて一方の表面へ熱伝導された熱を利用する接触型の暖房器である。この形式の暖房器は、利用状態においては、表生地を通して人との接触部はもとより表面全体から放熱される。したがって、表面生地が薄いほど放熱量が増加し、その結果、温度維持のために消費電力量が多くなり、不経済になる傾向が否めない。
【発明の開示】
【発明が解決しようとする課題】
【０００８】
そこで、発熱体と表皮層との間に、人が載ったり座ったりすれば発熱体が発した熱の表皮層への伝達を良くし、そうでなければ断熱性を示すような、人の体重が作用する程度に応じて熱の伝達程度が変わる機能を備えた部材を設ける点で解決すべき課題がある。
【０００９】
この発明の目的は、暖を採るために人が接触するところは、従来と同様十分な熱伝導があるが、その一方で表面全体的には発熱体によって発生した熱が表生地より放熱し難くすることで、消費電力量を抑え、経済性向上を図ることができる面状採暖具を提供することである。
【課題を解決するための手段】
【００１０】
上記の課題を解決するため、この発明による面状採暖具は、表皮部とベースシートからなる表生地、裏生地、及び前記表生地と裏生地との間に配設される発熱体を備える面状採暖具において、前記ベースシートは、内部に空間を形成した部材としたことを特徴としている。
【００１１】
この面状採暖具によれば、表生地を構成する表皮部とベースシートとにおいて、ベースシートを内部に空間を形成した部材としているので、発熱体と表皮部との間に気体（空気）を含む層としてベースシートが存在し、人が表皮部の表面に載ったり座ったりしないときには、気体が示す断熱性によってベースシートが表生地の表面からの放熱を防ぐ作用を奏する。それと共に、面状採暖具が接触型の採暖具であるので、ベースシートは表生地として内部に空間を持つことでクッション性に優れている。表皮部の表面に載る又は座る人の重量で空間が押し潰されてベースシートが圧縮されると、その圧縮された部分は内部の気体が排除されるために熱伝導が良くなり、目的の暖房効果を発揮する。更に、排除された気体は人が載ったり座ったりしない部分に移動して、ベースシートのその部分は一層の断熱性の向上に寄与する。
【００１２】
この面状採暖具において、前記ベースシートの材料は、軟質又は半硬質ポリウレタンフォームであるとすることができる。この材料は薄いシート状（例えば１ｍｍ〜４ｍｍ）に成形されると、柔軟性があり且つその内部は発泡状態であるため、同様な厚みの繊維製不織布やニーパンフェルトより、断熱性が優れているとともにクッション性も優れている。また、材料としてポリウレタンフォームを用いると、面状採暖具の本体の中まで水が浸透しない様に配慮した表生地の構成の基礎となるベースシートを得ることができる。
【発明の効果】
【００１３】
この発明による面状採暖具は、上記のように、裏生地及び発熱体と共に面状採暖具を構成する表生地のベースシートとして内部に空間を形成した部材を用いているので、人が載ったり座ったりするベースシートが圧縮された部分は、発熱体からの発生熱の熱伝導が良くなり接触採暖としての効果を保持し、圧縮されない部分は一層空気層を含んだベースシートとなるって断熱効果を発揮するので、ベースシート上の表皮部からの放熱を抑える効果があり、省エネ効果を奏することができる。
【発明を実施するための最良の形態】
【００１４】
以下、添付した図面に基づいて、この発明による面状採暖具の実施例を説明する。図１はこの発明による面状採暖具の防水型表生地を製造するための製造工程概略を示す図である。図２は、図１に示す製造工程によって製造されたこの発明による面状採暖具の一実施例を示す断面図である。また、図３は、図２に示す面状採暖具の使用状態の一例を示す概略説明図である。
【００１５】
図１に示す面状採暖具の防水型表生地を製造するための製造工程においては、先ず、ペースシート３がプラテン２０に載置される。プラテン２０はベースシート３を載置した状態で水平に移動される。表皮部２ｂを形成するための合成樹脂材料は、原料ペレットから溶融状態にされてノズル５に送り込まれる。ノズル５は、溶融状態の合成樹脂材料を幅広の合成樹脂シート２ａの形にして下向きに押し出す。合成樹脂シート２ａは，ノズル５の下を通過するベースシート３に合流する。この合成樹脂材料としては、従来の技術として上記したような、例えば、オレフィン系樹脂、エチレン酢酸ビニル共重合体、ポリエチレンテレフタレート等を用いることができる。
【００１６】
べ−スシート３は、軟質ポリウレタンフォーム又は軟質に近い半硬質ポリウレタンフォームを材料として成形されており、その材料を発泡成形させることで内部に気体が封じ込められた状態に形成されている。ポリウレタンフォームを発泡させて形成されたべ−スシート３は、内部に封じ込められた気体（空気）の熱伝導特性によって良い断熱性を示す。また、このような構造を持つベースシート３は、柔軟性も保持すると共に、例えば表皮部表面に落とされた水分が内部に浸透するのを防止する防水性能を示す。
【００１７】
合流地点の下流側にはローラ６が設けられており、ローラ６は、ベースシート３に合流したがまだ軟化状態にある合成樹脂シート２ａをベースシート３に押し付ける。これにより、合成樹脂シート２ａはベースシート３にしっかり付着し、表皮部２ｂとなる。
【００１８】
次にロール６を通過した表皮部２はまだ軟化にありこの表皮部２ｂに外面材４が合流する。合流地点の下流に設けられたローラ７がメッシュ部材である外面材４を表皮部２ｂに押し付け付着させる。外面材４は表皮部２ｂの合成樹脂のぬめり感をなくすため及び表面を外観として整えるための加工工程である。外面材４が表皮部２ｂに施されて、防水型表生地（以下、「表生地」と略す）１が製造される。
【００１９】
図１に示す製造工程によって製造された表生地１を用いて構成された面状採暖具の実施例が、図２に断面として示されている。表生地１は、表皮部２ｂ（外面材４も含む）とべ−スシート３とを備えている。一方、表生地１に重ねられる裏生地９上には、線状の発熱体１０が一部を表面に覗かせただけで殆どを埋設した状態に配置されている。表生地１が、裏生地９に対して接着剤８で貼り合わされた積層構造に形成されて面状採暖具１１が構成されている。表生地１は、発泡したポリウレタンフォームから成っているので、表生地１上に落とされた水分が発熱体１０にまで浸透するのを阻止している。
【００２０】
図３は、図２に示す面状採暖具の使用態様を示す概略説明図である。図３においては、人Ｂは接触型の採暖具である面状採暖具１１に載る（座る）状態で示されている。ベースシート３は、ポリウレタンフォームのような発泡樹脂材料から形成されていて、表生地１として内部に空間を持つ部材であるのでクッション性に優れている。人Ｂの体重が作用することで、表生地１のべ−スシート３はＡ部において圧縮されて厚さがその他の部分よりも薄くなる。ベースシート３のＡ部では、内部の空間が押し潰されて空間内の気体が排除されているので空気が占める割合が低く、空気による断熱作用がそれほど期待できない。したがって、ベースシート３のＡ部の熱伝導が良くなり、発熱体１０が発生させた熱が人Ｂに伝達されや易くなり、目的の暖房効果を発揮する。人Ｂが表皮部２ｂに載ったり座ったりしないときには、ベースシート３の空間内の空気が示す断熱性によって、ベースシート３が表生地１の表面からの放熱を防ぐ作用を奏するが、人Ｂが表皮部２ｂに載る等の場合には、Ａ部から排除された気体はＡ部以外のＣ部に移動するので、ベースシート３のＣ部は空気を多く含んだ状態により、断熱性が高くなるという利点もある。
【図面の簡単な説明】
【００２１】
【図１】本発明による面状採暖具用の防水型表生地の製造工程概略を示す図。
【図２】本発明による面状採暖具の一実施例を示す断面図。
【図３】本発明による案面状採暖具の使用状態の一例を示す図。
【符号の説明】
【００２２】
１  防水型表生地
２ａ  合成樹脂シート
２ｂ  表皮部
３  ベースシート
４  外面材
５  ノズル
６  ローラ
７  ローラ
８  接着剤
９  裏生地
１０  発熱体
１１  面状採暖具
２０  プラテン
Ａ  ベースシート圧縮部
Ｂ  人
Ｃ  圧縮されてないベースシート部
【図１】
2005259433.tif 000003
【図２】
2005259433.tif 000004
【図３】
2005259433.tif 000005